(57)【特許請求の範囲】
【請求項１】
スライド面を摺動するスライダと、ディスクを載置して回転させるターンテーブルを保持した昇降フレームとを備え、ディスクの装填に伴ってスライダが摺動するときに、スライダのカム溝と昇降フレームの昇降ピンとの組合せにより、昇降フレームを下降位置から上昇させ、ターンテーブルにディスクを装着してから記録／再生位置に位置決めするディスク装置において、
スライド面に接触する押圧片と、
前記スライダに形成されたカム溝のうち、昇降フレームを記録／再生位置に位置決めする部分に、カム溝の一方のカム壁面を構成するように形成される弾性片と、
前記押圧片と弾性片との間に介在し、押圧片をスライド面に押し付けるとともに、昇降ピンがカム溝の他方のカム壁面に当たるように弾性片を押し付けるバネと、
を設けたことを特徴とするディスク装置。
【請求項２】
前記押圧片は、スライダに回転可能に取り付けられていることを特徴とする請求項１記載のディスク装置。
【請求項３】
前記押圧片は、スライダに一体形成されていることを特徴とする請求項１記載のディスク装置。
【発明の詳細な説明】
【技術分野】
【０００１】
本発明は、光ディスクをドライブして情報の記録／再生を行うディスク装置に関し、さらに詳しくは、ディスクを載置して回転させるターンテーブルを保持した昇降フレームを昇降動させる機構を備えたディスク装置に関する。
【背景技術】
【０００２】
コンピュータシステムなどの各種の情報機器には、多量の情報をストアすることができる光ディスク（例えば、ＣＤ，ＤＶＤなど）が、記録媒体として用いられている。この光ディスク（以下、単にディスクという）は、ディスク装置に装填され、情報の記録／再生が行われる。このディスク装置には、トレイタイプとスロットインタイプとがある。
【０００３】
トレイタイプは、特許文献１ないし特許文献３に記載されているように、ディスクが収納されるディスクトレイを備えており、このディスクトレイが本体ケース（シャーシケース）内に格納された格納位置と、本体ケースから突出したイジェクト位置との間で移動可能となっている。イジェクト位置にあるディスクトレイにディスクを入れてから、例えば操作ボタンを押すと、ローディングモータが始動してディスクトレイを格納位置に引き込む。次に、スライダが移動して昇降フレームを上昇させる。この昇降フレームには、ターンテーブルユニットやピックアップユニットなどが取り付けられ、全体としてトラバースユニットを構成している。昇降フレームの上昇の途中で、ターンテーブルユニットのクランプヘッドにディスクが装着される。昇降フレームが更に上昇して記録／再生位置に到達すると、ターンテーブルユニットがディスクを回転させる。ディスクの回転中に、ピックアップユニットによって、情報の記録または再生が行われる。操作ボタンを押すと、昇降フレームが下降位置に戻り、そしてディスクを収納したディスクトレイがイジェクト位置に押し出される。
【０００４】
スロットインタイプのディスク装置は、特許文献４に記載されているように、本体ケースの前面にベゼルが取り付けられ、このベゼルにスロットが形成されている。ディスクを装填するには、ディスクの過半をフロントベゼルのスロットに差し込む。ディスクによってディスクローディング機構が少し動かされると、ローディングモータが始動する。このローディングモータによってディスクローディング機構が駆動され、ディスクが本体ケース内に引き込まれる。次に、スライダが移動して昇降フレームを上昇させる。昇降フレームは、下降位置から最上昇位置に移動して、ターンテーブルユニットのチャッキングヘッドにディスクを装着する。次に、昇降フレームが少し下降して記録／再生位置に位置決めされると、ターンテーブルユニットがディスクを回転させ、情報の記録または再生を行う。イジェクトボタンを操作すると、ディスクローディング機構が作動してディスクを本体ケースから搬出する。
【特許文献１】特開平１１−１８５３３８号公報
【特許文献２】特開２００２−２３７１１９号公報
【特許文献３】特開２００５−１３５５０８号公報
【特許文献４】特開２００６−２２８３５３号公報
【発明の開示】
【発明が解決しようとする課題】
【０００５】
トレイタイプとスロットインタイプのいずれも、スライダにカム溝を形成し、このカム溝に昇降フレームの昇降ピンを嵌合し、ディスクの装填時にスライダを摺動させて、昇降フレームを下降位置から記録／再生位置へ上昇させている。スライダを円滑に摺動させるために、スライド面との間に適宜な隙間が形成される。この隙間によってスライダが上下にガタつくために、スライダの動きが不安定になるという問題がある。
【０００６】
また、昇降ピンがカム溝内で滑らかに摺動することができるように、両者間に適宜な隙間が設けられている。しかし、昇降フレームを記録／再生位置に位置決めして、ターンテーブルユニットでディスクを回転しているときに、ディスク装置に振動や衝撃が加わると、昇降フレームが隙間内で上下に振動し、それにより情報の記録／再生にエラーを発生するおそれもあった。
【０００７】
本発明は、スライダの動きを安定化することができるようにしたディスク装置を提供することを目的とする。
【０００８】
また、情報の記録／再生中に昇降フレームが上下に動くのを防止するようにしたディスク装置を提供することを目的とする。
【課題を解決するための手段】
【０００９】
上記目的を達成するために、本発明のディスク装置は、スライド面に接触する押圧片と、スライダに形成されたカム溝のうち、昇降フレームを記録／再生位置に位置決めする部分に、カム溝の一方のカム壁面を構成するように形成される弾性片と、押圧片と弾性片との間に介在し、押圧片をスライド面に押し付けるとともに、昇降ピンがカム溝の他方のカム壁面に当たるように弾性片を押し付けるバネとを設けている。
【００１１】
押圧片は、スライダに回転自在に取り付けるか、又はスライダに一体形成するのがよい。
【発明の効果】
【００１２】
本発明によれば、スライド面に接触する押圧片を設け、この押圧片をバネで付勢してスライド面に常に押し当てているから、スライダが摺動するときに、その動きを安定化することができる。
【００１３】
また、カム溝の一方のカム壁面を構成するように弾性片を設け、この弾性片をバネで付勢して、昇降フレームが記録／再生位置にあるときに、昇降ピンとカム溝との隙間をなくすから、情報の記録／再生中に、ディスク装置に振動や衝撃が加わっても、昇降フレームが上下に振動するのを防止することができる。また、昇降フレームが記録／再生位置にあるときには、常に一定の高さに位置決めすることができる。
【発明を実施するための最良の形態】
【００１４】
図１において、ディスク装置１は、シールド状態に構成された本体ケース（シャーシケース）２を備えている。この本体ケース２の前面に、ベゼル３が取り付けられている。このベゼル３には、ディスクＤＩを挿入するスロット３ａと、ディスクＤＩのイジェクトを指示するための押しボタン４と、ディスク装置１の動作状態を表示するためのインジケータ５とが設けられている。
【００１５】
本体ケース２には、天板６が取り付けられている。この天板６のほぼ中央には、ディスクＤＩのチャッキング時にチャッキングヘッド１６（図２参照）が僅か入り込むための開口が形成されている。また、開口６ａの周囲には、本体ケース２の内壁に突出部を形成するための凹部６ｂが設けられている。この本体ケース２の突出部は、チャッキングヘッド１６がディスクＤＩの中心孔ＤＩａに挿入するときに、ディスクＤＩを受け止める。
【００１６】
天板６を取り外した図２及び図３において、本体ケース２を上下に仕切るように、ベースパネル１０が本体ケース２に固定されている。このベースパネル１０には、中央から斜め方向に延びた開口１０ａが形成されている。この開口１０ａ内には、昇降フレーム１１１が配置されている。この昇降フレーム１１には、中央から斜め方向に延びた開口１１ａが形成されている。
【００１７】
前記昇降フレーム１１は、ディスクＤＩを本体ケース２に搬入または搬出するときに、フロントベゼル３側を支点にして、本体ケース２の中央に位置する先端側が上下方向に揺動する。この昇降動中の衝撃を緩和するために、昇降フレーム１１は、緩衝支持構造１２により複数箇所でベースパネル１０に取り付けられている。この緩衝支持構造１２は、図８（Ａ）に示すように、ベースパネル１０と本体ケース２の底板２ａとの間に設けた軸１２ａと、これに嵌合するゴムリング１２ｂとから構成されている。このゴムリング１２ｂは、昇降フレーム１１から突出した突起１１ｂに固定されている。
【００１８】
昇降フレーム１１の先端部には、ターンテーブルユニット１３が取り付けられている。このターンテーブルユニット１３は、スピンドルモータ１４、ターンテーブル１５、チャッキングヘッド１６を備えている。スピンドルモータ１４は、昇降フレーム１１の内面に固定され、その駆動軸にターンテーブル１５が固定されている。このターンテーブル１５に、チャッキングヘッド１６が一体に形成されている。このチャッキングヘッド１６には、昇降フレーム１１が上昇したときに、チャッキング位置にセットされたディスクＤＩをチャッキングする。更に、チャッキングヘッド１６には、バネで付勢された複数のチャッキング爪１６ａが設けられており、ディスクＤＩを着脱可能に係止する。
【００１９】
また、昇降フレーム１１には、ピックアップユニット１８が取り付けられている。このピックアップユニット１８は、昇降フレーム１１の開口１１ａの下方に配置されたキャリッジ１９と、これに保持された光ピックアップ２０とから構成されている。情報の記録／再生時には、キャリッジ１９が開口１１ａに沿って、ディスクＤＩの半径方向に移動する。
【００２０】
昇降フレーム１１には、ディスクＤＩの下面をガイドするためのディスクガイド片２１が取り付けられている。このディスクガイド片２１は、ディスクＤＩの搬入方向に沿って、先端部がターンテーブル１５の脇まで延びている。また、ディスクガイド片２１には、先端部に向けて徐々に高くなったスロープが形成されており、ディスクＤＩを上に持ち上げることで、チャッキングヘッド１６に衝突することなく、本体ケース２内に搬入されるようにしている。
【００２１】
ディスクガイド片２１の先端部の下方に、図８（Ａ）に示すように、チャッキング解除ピン２２が配置されている。昇降フレーム１１が下降するときに、ディスクガイド片２１がチャッキング解除ピン２２に当たって停止されるから、ディスクガイド片２１によって、ディスクＤＩがチャッキングヘッド１６から抜き出される。また、ディスクガイド片２１の先端部には、下方に延びた折り曲げ部２１ａが形成されている。この折り曲げ部２１ａは、昇降フレーム１１が下降位置に移動するときに、昇降フレーム１１の折り曲げ縁部１１ｃで押し下げられ、ディスクガイド片２１のスロープを湾曲させる。
【００２２】
ベースパネル１０上には、ディスクＤＩの搬入および搬出を行うためのディスク支持アーム２４と、スロット３ａから挿入されたディスクＤＩを本体ケース２内へ搬入するための誘引アーム２５とが揺動可能に配置されている。このディスク支持アーム２４は、ホルダー２４ａでディスクＤＩの前端縁を保持し、軸２３を中心にして揺動する。誘引アーム２５は、フランジ付ローラ２５ａでディスクＤＩの後端縁を保持し、軸２６を中心にして揺動する。この誘引アーム２５を揺動させるために、リンクレバー２７が連結されている。このリンクレバー２７は、カムピン２７ａがガイドスリット２８に沿って移動する。
【００２３】
なお、図３には、ディスクＤＩがイジェクト位置にある場合、自動搬入の開始位置にある場合、チャッキング位置にある場合がそれぞれ示されている。なお、符号２９ａ，２９ｂは、昇降フレーム１１を昇降動させるための昇降ピンである。
【００２４】
図４において、光ピックアップ２０を保持したキャリッジ１９は、ガイドシャフト３２，３３に支持されている。これらのガイドシャフト３２，３３は、その両端が昇降フレーム１１の背面に固定されている。スレッドモータ３４の回転は、ギヤトレイン３５を介して、スクリューシャフト３６に伝達される。このスクリューシャフト３６の回転により、キャリッジ１９が前進／後退する。
【００２５】
ベースパネル１０の背面には、ローディングモータ３８が配置され、このローディングモータ３８の回転が、ギヤトレイン３９を介してディスクローディング機構４０に伝達され、ディスクＤＩの搬入又は搬出が行われる。このディスクローディング機構４０の主要部は、ローディングスライダ４１、ディスク支持アーム２４、誘引アーム２５である。
【００２６】
前記ローディングスライダ４１は、端部に形成したラックギヤ４２がギヤトレイン３９の最終段のギヤに噛合しており、ローディングモータ３８の回転により、本体ケース２の側壁に沿って前進／後退する。ローディングスライダ４１がベゼル３から離れる方向に移動（前進）するときに、ディスクＤＩが本体ケース２内に搬入され、後退するときに本体ケース２から搬出される。
【００２７】
また、ローディングスライダ４１には、カム溝４３，４４が形成されている。このカム溝４３は、ガイドスリット２８と重なっており、これらにリンクレバー２７のカムピン２７ａが嵌合している（図５参照）。ローディングスライダ４１の前進／後退により、カム溝４３とガイドスリット２８とが共働して、リンクレバー２７を移動させる。また、カム溝４４には、リンクレバー４５のカムピン４５ａと、リンクレバー４６のカムピン４６ａとが嵌合しており、ローディングスライダ４１が前進／後退するときに、リンクレバー４５，４６は、軸４７，４８を中心にして回転する。
【００２８】
前記リンクレバー４５には、ピン４５ｂが形成されている。このピン４５ｂは、従動スライダ５２の長孔５２ａに嵌合している。この従動スライダ５２は、ガイド穴５２ｂにピン５４が嵌合しており、またベースパネル１０に固定したガイド板５３が背面をガイドしている。
【００２９】
前記リンクレバー４６は、ピン５６を介してリンクアーム５７に連結されている。このリンクアーム５７は、ピン５８を介してベース部２４ｂに連結されている。このベース部２４ｂは、ベースプレート１０の表面に配置されたディスク支持アーム２４と軸２３で一体的に連結されている。ベース部２４ｂの周囲に、スイッチ５９が配置されており、ディスクＤＩの押し込みでディスク支持アーム２４が所定量揺動されたときにＯＮする。このスイッチ５９からの信号で、制御回路（図示せず）はローディングモータ３８を回転させ、ディスクローディング機構４０によるディスクＤＩの自動搬入を開始する。
【００３０】
前記リンクアーム５７は、第１アーム５７ａと、この第１アーム５７ａに対してスライド可能に連結された第２アーム５７ｂと、リンクアーム５７を最短状態に保つためのバネ５７ｃとから構成されている。この伸縮可能なリンクアーム５７により、ディスクＤＩがユーザーによって本体ケース２内に押し込まれている間、すなわちディスクローディング機構４０による自動搬入が開始されるまで、リンクレバー４６を作動させることなく、ディスク支持アーム２４の揺動を可能にする。
【００３１】
図５に示すように、ローディングスライダ４１は柱状をしており、ガイドプレート６２と本体ケース２の底板２ａとの間で摺動する。このガイドプレート６２はガイドスリット２８を備え、ベースパネル１０に固定されている。ローディングスライダ４１は、前述したように、ラックギヤ４２、カム溝４３，４４が形成されている。
【００３２】
前記カム溝４４は、横溝部４４ａ、縦溝部４４ｂ、傾斜部４４ｃ、縦溝部４４ｄ、横溝部４４ｅが連続して形成されている。ディスクＤＩの装填前には、リンクレバー４６のカムピン４６ａが横溝部４４ａに入っており、リンクレバー４５のカムピン４５ａが縦溝部４４ｄに入っている。
【００３３】
また、ローディングスライダ４１は、昇降フレーム１１に対面する側部に、昇降フレーム１１の昇降ピン２９ｂを昇降動させるためのカム溝６３が形成されている。このカム溝６３は、昇降フレーム１１を下降位置に保つための低位部６３ａ、昇降フレーム１１を上昇または降下させるための傾斜部６３ｂ、昇降フレーム１１を記録／再生位置に保つための高位部６３ｃが連続して形成されている。
【００３４】
図６に示すように、従動スライダ５２には、昇降フレーム１１の昇降ピン２９ａが嵌合するカム溝６５が形成されている。このカム溝６５は、ローディングスライダ４１のカム溝６３と同様に、昇降フレーム１１を下降位置に保つための低位部６５ａ、昇降フレーム１１を上昇または降下させるための傾斜部６５ｂ、昇降フレーム１１を記録／再生位置に保つための高位部６５ｃが連続して形成されている。
【００３５】
昇降フレーム１１の昇降動を円滑にするために、カム溝６５の幅が昇降ピン２９ａよりも多少大きくしてある。このカム溝６５と昇降ピン２９ａとの間のガタは、昇降フレーム１１の位置ズレの原因となったり、あるいはディスク装置１に振動や衝撃が加わったとき、昇降フレーム１１が振動する原因となる。そこで、高位部６５ｃでのガタを吸収するために、板状をした弾性片６６が形成されている。図９（Ａ）に示すように、弾性片６６の上面は下カム壁面６５ｃ１となり、従動スライダ５２に形成された上カム壁面６５ｃ２とにより、高位部６５ｃを構成している。
【００３６】
弾性片６６の下方には、切欠き６７が形成されている。この切欠き６７内には、押圧片６８を回転可能に保持するピン６９が形成されている。押圧片６８は、ピン６９に嵌合する軸穴６８ａと、下方に少し突出した押圧部６８ｂと、突起６８ｃとが形成されている。この押圧部６８ｂは、押圧片６８の先端に形成され、底板２ａ上を摺動する。
【００３７】
コイルバネ７０は、弾性片６６と押圧片６８との間に配置され、これらから抜け出ないように、その両端が弾性片６６の下面に形成した突起６６ａと、押圧片６８の突起６８ｃに嵌め込まれている。このコイルバネ７０は、弾性片６６を上方に押圧して、昇降ピン２９ａを上カム壁面６５ｃ２に押し付ける。
【００３８】
また、コイルバネ７０は、押圧片６８を下方に押圧して、押圧部６８ｂを底板２ａに押し付けるから、従動スライダ５２が底板２ａ上を安定して摺動することを可能にする。なお、従動スライダ５２の上面には、ベースパネル１０との接触面積を減らすために、複数の突起７２ａ，７２ｂが形成されている。
【００３９】
図７に示すように、従動スライダ５２は、その前後がベースパネル１０の折り曲げ部１０ｂとガイド板５３とでガイドされている。
【００４０】
次に、図８及び図９を参照して上記実施形態の作用について説明する。ディスクＤＩの挿入前には、図８（Ａ）に示すように、昇降フレーム１１が下降位置にセットされている。このときには、昇降フレーム１１の昇降ピン２９ａは、従動スライダ５２のカム溝６５の低位部６５ａに位置し、そして昇降ピン２９ｂはローディングスライダ４１のカム溝６３の低位部６３ａに位置している。また、ディスクガイド片２１は、チャッキング解除ピン２２に当たった状態で、昇降フレーム１１の折り曲げ縁部１１ｃで押し下げられているため、上方に突出した形状に湾曲している。
【００４１】
図３及び図４に示すように、ディスクＤＩがベゼル３のスロット３ａから本体ケース２内に挿入されると、ディスクＤＩの先端縁がディスク支持アーム２４のホルダー２４ａに支持される。このディスクＤＩの押込みに応じて、リンクアーム５７を伸長しながら、ディスク支持アーム２４がベース部２４ｂとともに、軸２６を中心にして図３において反時計方向に回転する。この際に、ディスクＤＩの先端縁は、ディスクガイド片２１で持ち上げられ、チャッキングヘッド１６に衝突することなく、その上を乗り越える。
【００４２】
ディスク支持アーム２４のホルダー２４ａが昇降フレーム１１を通過する位置までディスクＤＩが押し込まれると、ベース部２４ｂがスイッチ５９をＯＮにする。このスイッチ５９の信号に基づいてローディングモータ３８が回転するから、ディスクローディング機構４０が作動してディスクＤＩの自動搬入が開始される。
【００４３】
前記ローディングモータ３８の回転は、ギヤトレイン３９を介してローディングスライダ４１に伝達される。ローディングスライダ４１は、ベゼル３から離れる方向（前進方向）に移動する。ローディングスライダ４１が前進すると、カム溝４３によってリンクレバー２７のカムピン２７ａが押されるため、このカムピン２７ａが固定のガイドスリット２８に沿って移動する。これにより、リンクレバー２７が移動するため、誘引アーム２５が軸２６を支点にして図３において時計方向に揺動する。この誘引アーム２５は、その先端に取り付けたローラ２５ａがディスクＤＩの後端縁を押す。
【００４４】
また、ローディングスライダ４１は、カム溝４４の横溝部４４ａによってリンクレバー４６を図４において時計方向に回転する。このリンクレバー４６の回転は、リンクアーム５７を介してベース部２４ｂに伝達され、ディスク支持アーム２４を図３において反時計方向に回転させる。これにより、ディスクＤＩは、ディスク支持アーム２４と誘引アーム２５とで保持されて、本体ケース２内に搬入される。
【００４５】
図３に示すように、ディスクＤＩがチャッキング位置に搬入されると、ディスクＤＩの中心孔ＤＩａがチャッキングヘッド１６と一致する。このチャッキング位置に到達すると、リンクレバー２７のカムピン２７ａが、カム溝４３及びガイドスリット２８の縦溝部に位置しているため、ローディングスライダ４１が前進しても、誘引アーム２５は停止している。同様に、リンクレバー４６のカムピン４６ａも縦溝部４４ｂに位置しているため、ディスク支持アーム２４も停止している。
【００４６】
他方、リンクレバー４５のカムピン４５ａは横溝部４４ｅに位置しているため、ローディングスライダ４１が前進すると、カムピン４５ｂと長孔５２ａとにより、従動スライダ５２が図４において、左方向に向かって摺動を開始する。この従動スライダ５２は、ベースパネル１０の折り曲げ部１０ｂとガイド板５３とで前後がガイドされ、そして上面の突起７２ａ，７２ｂがベースパネル１０の下面に接触した状態で、底板２ａ上を摺動する。この際に、押圧片６８は、コイルバネ７０によって押圧部６８ｂを底板２ａに押し付けているから、従動スライダ５２の移動が安定している。
【００４７】
上記のように、ディスクＤＩがチャッキング位置に到達した時点では、昇降フレーム１１の昇降ピン２９ａが従動スライダ５２のカム溝６５の傾斜部６５ｂに、そして昇降ピン２９ｂがローディングスライダ４１のカム溝６３の傾斜部６３ｂにそれぞれ到達する。その後は、ディスク支持アーム２４と誘引アーム２５とが停止した状態で、ローディングスライダ４１に連動して従動スライダ５２の摺動が開始する。これにより、図９（Ａ）に示すように、昇降ピン２９ａが傾斜部６５ｂに沿って移動し、また昇降ピン２９ｂが傾斜部６３ｂに沿って移動するから、昇降フレーム１１が下降位置から記録／再生位置に向かって上昇を開始する。
【００４８】
昇降フレーム１１が上昇を開始すると、図８（Ｂ）に示すように、チャッキングヘッド１６がディスクＤＩの中心孔ＤＩａに入り込み、チャッキング爪１６ａに引っかかった状態となる。昇降フレーム１１が更に上昇すると、図８（Ｃ）に示すように、ディスクＤＩが天板６の凹部６ｂによって形成された凸部で受け止められる。この状態で昇降フレーム１１が少し上昇すると、ディスクＤＩの中心孔ＤＩａにチャッキングヘッド１６が嵌まり、チャッキング爪１６ａで係止される。このチャッキングが完了した時点では、昇降ピン２９ａ，２９ｂが、カム溝６５、カム溝６３の最上部にそれぞれ位置しており、昇降フレーム１１は最上昇位置にある。
【００４９】
チャッキングの完了後に、ローディングスライダ４１と従動スライダ５２とが移動すると、昇降ピン２９ａがカム溝６５の最上部から傾斜部６５ｂを経て水平な高位部６５ｃに入り、または昇降ピン２９ｂもカム溝６３の最上部から傾斜部６３ｂを経て水平な高位部６３ｃに入る。これにより、図８（Ｄ）に示すように、昇降フレーム１１が最上昇位置から僅か下がった記録／再生位置に位置決めされる。
【００５０】
昇降フレーム１１が最上昇位置から記録／再生位置に移動する間に、カムピン２７ａがカム溝４３で押されて、ガイドスリット２８の横溝部２８ａ内を移動する。これにより、誘引アーム２５は、図３において、軸２６を中心にして反時計方向に少し回転するから、フランジ付ローラ２５ａがディスクＤＩの後端縁から離れる。また、リンクレバー４６のカムピン４６ａは、カム溝４４の傾斜部４４ｃで押されるから、リンクレバー４６が図４において時計方向に少し回転する。これにより、ディスク支持アーム２４は、図３において、反時計方向に少し回転し、ホルダー２４ａがディスクＤＩの前端縁から離れる。
【００５１】
昇降フレーム１１が記録／再生位置にセットされると、図９（Ｂ）に示すように、昇降ピン２９ａが高位部６５ｃに位置している。この高位部６５ｃには、下カム壁面６５ｃ１として機能する弾性片６６が形成されている。この弾性片６６は、コイルバネ７０で押圧されているから、昇降ピン２９ａが弾性片６６で押し上げられ、上カム壁面６５ｃ２に押し付けられる。このために、昇降フレーム１１の位置が一定になるとともに、みだりに上下動したりすることがない。
【００５２】
また、昇降フレーム１１が記録／再生位置にセットされているときには、図８（Ｄ）に示すように、ディスクガイド片２１が折り曲げ縁部１１ｃによる押し下げから解放され、またチャッキング解除ピン２２から離れている。このため、ディスクガイド片２１がターンテーブル１５よりも下方に位置し、ディスクＤＩの下面から離れている。
【００５３】
昇降フレーム１１が記録／再生位置にセットされた後に、ローディングモータ３８が停止する。その後、スピンドルモータ１４が回転して、ディスクＤＩを高速回転する。この状態で、スレッドモータ３４が回転してキャリッジ１９をガイドシャフト３２，３３に沿って移動する。キャリッジ１９上の光ピックアップ２０は、ディスクＤＩの半径方向に移動して、ディスクＤＩの記録／再生を行う。
【００５４】
ディスクの記録／再生を終了する場合には、押しボタン４を押す。この押しボタン４が押されると、スピンドルモータ１４が停止し、またスレッドモータ３４が逆転して、キャリッジ１９を初期位置に復帰させる。次に、ローディングモータ３８が逆転を開始する。このローディングモータ３８により、ディスクローディング機構４０が作動し、前述したディスクＤＩの搬入と逆の動作が行われる。
【００５５】
まず、ローディングスライダ４１がベゼル３に向かって後退を開始し、同時に従動スライダ５２を図４において右方向に摺動させる。このローディングスライダ４１の後退により、ディスク支持アーム２４と誘引アーム２５とが少し揺動して、ディスクＤＩの周縁を保持する。次に、ローディングスライダ４１と従動スライダ５２とにより、昇降フレーム１１が図８（Ｃ）に示す最上昇位置に一旦移動した後、図８（Ｄ）に示す記録／再生位置を通過して、図８（Ａ）に示す下降位置に向かう。
【００５６】
昇降フレーム１１の下降中に、ディスクガイド片２１がチャッキング解除ピン２２に受け止められる。この状態で昇降フレーム１１が下降すると、ディスクガイド片２１がディスクＤＩの下面を受け止めてその下降を阻止する。ディスクＤＩが停止した状態で、昇降フレーム１１とともにチャッキングヘッド１６が下降すると、チャッキング爪１６ａを押し込みながら、ディスクＤＩがチャッキングヘッド１６から抜け出る。更に、昇降フレーム１１が下降すると、ディスクガイド片２１の折り曲げ部２１ａが、昇降フレーム１１の折り曲げ縁部１１ｃに係合して押し下げられているため、図８（Ａ）に示すように、上方に突出した形状に湾曲される。
【００５７】
昇降フレーム１１が下降位置に到達すると、従動スライダ５２の摺動が停止し、ローディングスライダ４１だけが後退する。このローディングスライダ４１は、ディスク支持アーム２４と誘引アーム２５とを揺動させ、ディスクＤＩを保持しながら、図４に示すイジェクト位置に搬出する。ディスクＤＩが搬出されると、スイッチ５９がＯＦＦしてローディングモータ３８が停止するため、ディスクローディング機構４０の搬出動作が終了する。
【００５８】
図１０は押圧片の別の実施形態を示すものであり、図９に示す実施形態と同じ部材には同じ符号を付してある。この実施形態では、押圧片７５は、従動スライダ５２と一対に形成されている。
【００５９】
図１１は押圧片の更に別の実施形態を示すものである。この実施形態では、切欠き６７の下方に板部７６が形成されている。この板部７６に、四角形をした切欠き７６ａが形成されており、この中に押圧片７７が挿入されている。なお、符号７７ａは抜け止め用のフランジである。
【００６０】
上記実施形態では、従動スライダに弾性片が形成されているが、ローディングスライダに弾性片を設けてもよい。また、本発明は、スロットインタイプの他に、トレイタイプに対しても適用することができるものである。
【図面の簡単な説明】
【００６１】
【図１】本発明のディスク装置とディスクとを示す斜視図である。
【図２】天板を取り外したディスク装置の斜視図である。
【図３】天板を取り外したディスク装置の平面図である。
【図４】底板を省略したディスク装置の底面図である。
【図５】ローディングスライダと、これに連動するリンクレバーを示す斜視図である。
【図６】従動スライダの斜視図である。
【図７】ターンテーブルユニット付近の断面図である。
【図８】ディスクのチャッキングの動作を示す断面図である。
【図９】従動スライダのカム溝の作用を示す説明図である。
【図１０】押圧片を従動スライダに一体形成した実施形態を示す説明図である。
【図１１】押圧片を上下動可能にした実施形態を示す説明図である。
【符号の説明】
【００６２】
１０  ベースパネル
１１  昇降フレーム
１３  ターンテーブルユニット
１５  ターンテーブル
１６  チャッキングヘッド
２０  光ピックアップ
２４  ディスク支持アーム
２５  誘引アーム
２９ａ，２９ｂ  昇降ピン
３８  ローディングモータ
４１  ローディングスライダ
５２  従動スライダ
６５  カム溝
６６  弾性片
６８，７５，７７  押圧片
【図１】
0005158329.tif 000002
【図２】
0005158329.tif 000003
【図３】
0005158329.tif 000004
【図４】
0005158329.tif 000005
【図５】
0005158329.tif 000006
【図６】
0005158329.tif 000007
【図７】
0005158329.tif 000008
【図８】
0005158329.tif 000009
【図９】
0005158329.tif 000010
【図１０】
0005158329.tif 000011
【図１１】
0005158329.tif 000012